(57)【特許請求の範囲】
【請求項１】
金属類、硬質樹脂、竹、または木材で作られ、またはこれらの材料の組み合わせで構成された、伸縮しない棒またはパイプを、対面する壁や柱の間に略水平に装置し、その両端に、壁などに押し当てる当接部材を、棒またはパイプと略直角に取り付け、当接部材は、垂直に対して所定の角度で直線的に滑動可能に装置し、当接部材の滑動方向は、棒またはパイプが下方向に動くと、両端の当接部材の間隔が広くなる方向に動く様に構成する事で、棒またはパイプに洗濯物などを吊り下げた時、その重量による下向きの力が水平方向の力に変換され、当接部材に両側の壁などを押す力が発生する様に装置された、主として室内で使用する物干し棒において、当接部材の滑動方向と垂直な壁との角度をθとし、当接部材の表面と壁との摩擦係数をμとした時、その関係が、μ／ｔａｎθ＞１の関係になっている、及び、材質の劣化により低下した摩擦係数をμ’とした時、その関係が、μ’／ｔａｎθ≧１の関係になっている事を特徴とする、室内物干し棒。
さらに、伸縮しない棒またはパイプは、以下、棒状部材と言い、単一部品で構成された物の他、複数の棒やパイプを連結した構成や、内筒と外筒を組合せて長さを調整後、ネジによる締め付けや、ピン状の部材を挿入する事で伸縮をロック可能に装置した構成も含み、また、当接部材と棒状部材とを、弾性部材で連結または当接し、当接部材の動きに所定の抵抗や荷重を加える事で、棒状部材を略水平に保つ様に装置した構成も含む。
【請求項２】
以下の様に装置された事を特徴とする、請求項１に記載の室内物干し棒。
１，棒状部材の両端に、棒状部材と略直角で、略水平な、軸受け孔を設ける。尚、軸受け孔は、棒状部材に直接孔を開ける場合の他、棒状部材の両端に、軸受け用の孔を装置した、ホルダーを取り付けた構成も含まれる。
２，両端の当接部材は、上から見た断面で、略コ形状とする。
３，コ形状の両側の縦壁に長円形の貫通孔を設け、長円の直線部の傾斜角度をθとする。
４，当接部材を軸受け部に被せ、両側の長円形の貫通孔と軸受け孔の位置を合わせた状態で、それらを貫く、丸棒またはパイプ状の、ピンまたはピン状の部品を差し込む。
５，ピンは軸受け部で回転自在に保持され、ピンの両端部は、車輪として当接部材に設けた長円形の貫通孔の直線部分に沿って、開口部の壁面を転動する。
６，車輪の直径は、軸受け部のピンの直径に対して、１．５倍以上とし、ピンと車輪は一体成形された構成の他、ピンに車輪を圧入して一体とした構成や、ピンに車輪を挿入した上で、ネジやクリップやピンなどで、車輪が外れない様に装置した構成も含む。
７，軸受けの上側近傍に、突起または切れ込みを設け、コイルスプリングの端部を固定可能とし、コイルスプリングは、長円形の貫通孔の傾斜と略平行になる様に片側端部を固定する。当接部材の上部裏側には、円筒状で、コイルスプリングの１巻分から５巻分程度の深さのスプリング受け部を設け、その円筒の傾斜角度は、長円形の貫通孔と略同一とする。
８，コイルスプリングの長さは、当接部材に対して棒またはパイプが最下部に位置した時に、軸受け側の固定部と、当接部材側の受け部の底との距離よりも、０．１ｍｍ以上長くする。
即ち、車輪が長円形の貫通孔に沿って転動し、どの位置に静止した場合でも、スプリングのコイルが密着しない様に設定する。
９，コイルスプリングは、全長が短くなる方向に弾性変形する事で、付勢力を発揮する様に装置する。即ち、圧縮スプリングとして装置し、無負荷時は、当接部材を含む本体の全幅寸法は、スプリングの付勢力によって、最大の状態に保持される様に装置する。
１０，棒の両端に取り付けられた当接部材・スプリング・ピンは、略同一形状とする。
【請求項３】
請求項２に記載された構成に対して、軸受け孔と、長円形の貫通孔の位置関係を逆転させた事を特徴とする、室内物干し棒。尚、位置関係を逆転させたとは、具体的には、棒または両端に長円形の貫通孔を設けた部品を取り付け、当接部材側に軸受け孔を設けた構成により、当接部材が請求項１に記載された通りに滑動可能に装置されたものを指し、コイルスプリングも同様に、取り付け位置を軸受け孔近傍の下側から下向きに装置する事で、無負荷時は、当接部材を含む本体の全幅寸法は、スプリングの付勢力によって、最大の状態に保持される様に構成する。
【請求項４】
請求項２または請求項３に記載された構成に対して、コイルスプリングを、両端にフックを設けた引っ張りスプリング、またはゴム及びゴム状の弾性部材とし、軸受け側、即ち棒状部材側と、可動する当接部材側の双方に、フックを引っ掛ける孔または突起を設け、スプリングの付勢力によって、無負荷時は、当接部材を含む本体の全幅寸法が最大となる様に装置した事を特徴とする、室内物干し棒。
【請求項５】
下記のいずれかの構成により、壁間に設置状態の当接部材が、水平方向に左右３０度まで揺動可能とし、真上から見た時に、本発明品の棒状部材が、壁と直角では無い場合でも、各部品に無理な応力が発生しない様に装置した事を特徴とする、請求項１〜４のいずれか１つに記載の室内物干し棒。
１，ピンの軸受け孔を長円形状とし、ピンが水平方向に所定量、可動する余裕を持たせた。
２，棒状部材と、軸受け部との間にヒンジを設けた、または、ピン結合した。
３，当接部材の壁に当たる面の形状を、真上から見て凸形状の、略円弧や略台形とした。
【請求項６】
下記のいずれかの構成により、商品性及び生産性を高め、産業として利用可能に装置した事を特徴とする、請求項１〜５のいずれか１つに記載の室内物干し棒。
１，カーテンレール状のガイドレールを設ける、または、軸受け近傍と当接部材を引っ張りスプリングで連結する構成により、当接部材の脱落を防止した上で、長円形の貫通孔の直線部分の、軸受け側の壁を廃止した。
２，長円孔の直線部に、転動する車輪の直径よりも僅かに幅が狭い部分を設け、車輪がこの部分を乗り越える際、弱い抵抗力が発生する様に装置した。
３，車輪は、略キノコ形状とし、キノコの軸部が車輪として転動し、キノコの傘部で抜け止めとした。
４，キノコ形状の車輪は、ピンと一体成形した、または、ピンに車輪を指し込み、圧入、ネジ込み、または接着した。尚、片側だけを一体成形し、他端を指し込み、圧入、ネジ込み、または接着した構成も含む。
５，長円孔の内側の転動面または、キノコ形状のローラーの転動面の表面の、どちらか一方または両方を粗面とした。または、ゴム等の高摩擦係数材料を貼り付けた。
６，当接部材の壁に当たる面の略平面上に、複数の小さな突起を設け、面圧を平準化した。
７，当接部材の、壁側とは略反対側に、樹脂成形品のカバーを取り付け、スプリングを見えにくくした。
８，棒状部材の両端近傍に、滑り止めを施し握りやすくした握り部を設け、当接部材の上部近傍にも、同様の握り部または、指当て部を設ける事で、本体の全幅寸法が最小の状態で保持可能に構成した。即ち、パイプ側と当接部材側の両方を同時に握る事で、スプリングの付勢力に対抗して、当接部材を簡単に所定の位置に移動させ、容易にその状態で保持可能に装置する事で、着脱性を改善した。
９，当接部材の側面または、軸受けを設けたホルダーの側面に、上向きの矢印または矢印と同意の表示を設け、当接部材の可動方向及び取り付ける際の方向を明示した。尚、矢印と同意の表示とは、言葉で、上やＵＰなどと表示する方法や、指の形などの方向を示す図を表示する事を指し、当接部材やホルダーに一体成形する構成や、シールなどを貼る構成や、別部品を取り付ける構成や、印刷などで表示する。
【請求項７】
下記のいずれかの構成により、所定の許容荷重を超えた重量物を棒状部材に吊下げた時、本体が壁間から外れ、自動的に落下する事で、本発明品の各部分や、家の壁が損壊する事を防止する様に装置した事を特徴とする、請求項１〜６のいずれか１つに記載の室内物干し棒。
１，棒状部材の長さを調節する伸縮部分のロックを、ネジで内筒と外筒とを締め付けて摩擦によりロックする構造とし、このネジの回転部にクラッチを設け、ネジを締め付ける際、一定以上の回転力を加えると、締め付け用のネジが空転する様に装置した。尚、クラッチとは、例えば、ネジを設けた内輪と、人間が掴んで回転力を与える外輪で構成し、内輪と外輪が、所定の回転力を超えると滑る様に構成する方法や、これに類する構成を指す。
２，棒状部材の長さを調節する伸縮部分のロックを、ネジで内筒と外筒とを締め付けて摩擦によりロックする構造とし、摩擦させる部分の面積と材質を所定の設定値以下に設定する事で、許容荷重を超えて洗濯物などを吊下げると、ロック部が滑る様に装置した。即ち、ロック部の耐荷重を、許容吊下げ荷重と、略同一に設定した。
３，最大許容荷重の重量物を吊下げた時の、棒状部材のたわみによる水平方向長さの減少量を、当接部材の左右方向のストロークと略同等に設定する事で、許容荷重を超えて洗濯物などを吊下げた際、水平方向の全長が、壁間距離に対して同等以下となる様に装置した。
【発明の詳細な説明】
【技術分野】
【０００１】本発明は、主に室内の、平行に設置された壁間や柱間に使用し、簡単に着脱可能な物干し棒に関する。具体的には、以下の機能を全て備えた装置に関する。
１，棒及び棒状部材の内部に、付勢力を与える為の圧縮スプリングを内蔵せず、物干し棒に吊り下げた洗濯物などの重量を利用して壁間に突っ張る事で、壁への負荷を最小限に抑えながら、物干し棒として壁間に保持できる。
２，無負荷時（洗濯物等を吊り下げない時）でも安定し、洗濯物を掛けたり外したりする時の外力を受けても、簡単に外れる事が無く、常に壁間に安定して保持できる。
３，高齢者や女性など、非力な使用者でも、容易に、間違い無く、確実に、壁間への取り付けや取り外しが可能で、商品としての利便性が高く、生産性にも優れている。
【背景技術】
【０００２】棒状部材または伸縮パイプに、壁に付勢力を与える為の圧縮スプリングを内蔵せず、吊り下げ物の重量を利用して相対する平行な壁間に設置し、吊下げ物の重量が軽い場合でも安定を保つ事が可能で、自然法則に反する事無く、物理学的に成立する室内物干し棒の技術としては、特許出願２００３−３５５６６４（以下、有効先願と言う）が存在する。
しかし、有効先願の内容では、商品として実用化する為の具体性に欠ける為、製品の仕様を決定する事ができず、結局、産業として利用する事が難しく、発明として不完全であった。
また、過去に出願された文献を精査した所、『似た様な絵』が書いてある出願書類も散見されたが、全て自然法則に反しており、また、当業者が別の文献で明確に否定しているなど、全く技術とは呼べない机上の空論ばかりであり、技術的に成立する物は有効先願だけであった。
（技術と呼べない先願事例：特開平８−１３１２８６号，特開平１１−３３３１９４号など）
【先行技術文献】
【特許文献】
【０００３】
【特許文献１】特願２００３−３５５６６４公報
【０００４】
【非特許文献１】
【発明の概要】
【発明が解決しようとする課題】
【０００５】有効先願の請求項１に記載され、有効先願の図１に示された構造は、理論的には成立している可能性が高いが、生産展開するには詳細仕様が不明確であり、実用的で現実的な商品を製造販売することができなかった。この問題点が、本発明が解決しようとしている主な課題である。
即ち、有効先願の技術を、産業用として実用的に利用する為には、有効先願の請求項１の構造に対して、下記に列挙した課題を、全て解決する必要が有る。
尚、下記の課題を明示した文献は存在しない。産業として実用的に利用する為の課題が明らかになっていないのだから、当然、課題を解決する既存技術は、本発明以外に存在しない。
１，当接部材がスライドする傾斜角度は、壁に対して何度に設定すれば、吊下げ物の自重で壁間に保持する事が可能で、かつ、壁への負荷を最小限に抑えられるのか不明。つまり、この装置方法や構造を明確にする事が、本発明の最も重要な課題である。
２，棒状部材が伸縮せず、当接部材が常に壁面と平行なので、壁間への着脱が難しい。また、当接部材をピン結合し、「スライドと同時に揺動可能」に構成すると、今度は当接部材が壁面との平行を保てず、ブラブラと垂れ下がってしまい、取り付けができない。
３，当接部材をスライドさせる部分の摩擦抵抗が大きく、荷重の変換効率が落ちる。また、摩擦を減らす為に滑車などを装置する場合も、具体的な構造が明らかになっていない。
４，本体と当接部材とを弾性部材で連結する構造について、製造コストや組立性を考慮した最適な装置方法や構造が、明らかになっていない。
５，有効先願の構造では、見栄えが悪く、商品として成立しない。また、構造的に製造や組み立てが難しく、大量生産する商品としての機能や配慮が欠けている。
６，過大な荷重が加わった際、製品本体や、建物の壁を壊さない為の、安全装置が無い。
７，具体的な着脱方法が不明で、また、着脱を容易にする為の配慮も無い。
【課題を解決するための手段】
【０００６】前項に記載された、７項目の課題を解決する為に、それぞれ、以下の様に構成する。
１、産業として利用できる装置方法、即ち、吊下げ物の自重によって壁間への保持が可能で、なおかつ、壁や柱の負担を減らす為に、壁への突っ張り力を最小限とし、さらに、着脱性を確保する為に、当接部材の水平方向の可動距離を最大限とした、極めて特殊な傾斜角度を、自然法則に基づいて特定する。
２、当接部材をピン結合し、上下に約３０度、揺動可能に構成すると共に、スプリングを用いて無負荷時に当接部材の壁に当てる面が、壁と略平行となる様に付勢力を与える。
３、当接部材が長円形の貫通孔に沿って可動する部分に、ピンを使用して転動させる事により、摩擦抵抗を低減する。また、軸受け部より駆動部を太く構成し、確実に回転させる。
４、当接部材の内部に、小さな圧縮スプリングを装置し、少なくとも一端は、棒状部材側または当接部材側のどちらかに固定する。
５、当接部材は箱状とし、内蔵する小さな圧縮スプリングや軸受け部分を、覆い隠す。または、背面側にカバーを取り付け、スプリングが見えにくくする。
６、棒状部材の伸縮をロックするネジにクラッチを装置し、所定の締め付け力以上では伸縮部を固定できない様に装置し、吊下げ物の荷重が許容値を越えた場合は、伸縮部を滑らせる事で、本体を壁間から落下させる。
７、着脱作業を容易にする為、全幅寸法が最小の状態で当接部材を保持する為の、グリップを、当接部材と棒状部材の両方に装置する。
【発明の効果】
【０００７】理論的には成立していたが、具体性に欠け、産業に利用できなかった有益な技術が、有効活用可能となり、現実的な商品として設計・製造・販売する事で、産業の発展に大きく貢献する事ができる。即ち、特許法の目的（産業の発展）通りの効果を得る事ができる。
また、強力なスプリングを内蔵した既存の突っ張り棒では、高齢者や女性が高所に取り付ける作業は極めて難しかったが、本発明ならば容易に着脱が可能となり、今まで室内物干し棒が使用できなかった人にも、室内物干し棒が提供可能となった。
【図面の簡単な説明】
【０００８】
【図１】本発明の、正面図である。相対する平行な壁間に本発明品を水平に設置した時、水平方向からの視図を、正面図と定義している。尚、本発明品は、内筒１と外筒１９の太さ、及び伸縮ロック装置２０の位置を除き、左右対称形状であり、中心線３から左側は、中心線３の右側と対称に表される為、省略してある。
【図２】本発明の、縦断面図であり、図１と同様、右側部分のみ記載してある。本発明品の可動部を縦に切断し、正面方向から見た状態であり、当接部材の内部に、スプリング１３などが装置されている構造を表している。
【図３】本発明品の、上面図であり、図１と同様、右側部分のみ記載してある。
【図４】本発明品の、横断面図であり、図１と同様、右側部分のみ記載してある。本発明品の可動部を水平方向に切断し、上方向から見た状態であり、当接部材の内部に装置された回転軸と、軸受けや車輪の構造などを表している。
【発明を実施するための形態】
【０００９】本発明を実施する為の形態は、請求項１〜７に明記された通りである。その一例を、図を使用して説明する。
図１の通り、当接部材４は、角度８で傾斜した長円形の貫通孔９に沿ってスライドする。この時、棒状部材１の両端に取り付けられたホルダー２には、ローラー７が装置されているので、当接部材２は、ローラー７が長円孔９の内側を転動する事で、少ない摩擦抵抗で動く事ができる。
この様に装置した本発明において、８に示す角度θを大きくすると、吊り下げ物の重量が、僅かしか壁を押す力に変換されない為、本発明品は壁間に保持する事はできない。
また、角度を小さくすると、逆に壁を押す力が過大になり、例えば、１０ｋｇしか吊り下げていないのに、１００ｋｇの力で壁を押すなどの状態にもなり、家の壁を破壊する事になる。
そこで、当接部材に貼り付けられた当接シート５と、壁６との間の摩擦係数をμとした時に、角度θとの関係を、『μ／ｔａｎθ≧１』となる様に装置する。この関係となる様に装置すれば、本発明品は確実に壁間に保持可能で、特に、『μ／ｔａｎθ＝１』であれば、壁への負担を最小限に抑える事ができる上、経時変化による当接シート５の摩擦係数が低下する場合でも、低下後の摩擦係数で角度８を設定可能となり、実用的な商品を製造可能となった。
また、この計算式は、吊り下げ物の荷重に無関係に成立するので、吊り下げ物の重量が増減しても、常に、最適な状態を維持できる。
例えば、摩擦係数μ＝０．５の時、８の角度θを約２６度に設定すれば、壁間に保持できる上、壁を押す力は、吊り下げ物の重量に比例して増えるだけなので、壁への負担も最小限に抑えられる。伸縮パイプの内部に強力な圧縮スプリングを内蔵した既存の突っ張り棒では、吊り下げ物の重量の大小に関わらず、常に、最大の荷重で壁を押している為、壁を破壊する可能性が高く、『本発明による壁への負担軽減効果』は、極めて大きく、前例が無い。
以上が、本発明品の請求項１に記載された内容の一例である。
【００１０】図２は、図１の内部を表した断面図であり、図３は、本発明の上面図で、図４は、図３の断面図である。本発明品の一例の内部構造について、これらの図を使用して説明を続ける。
棒状部材１の両端には、可動する当接部材４を取り付ける為の、ホルダー２が取り付けられている。尚、ホルダー２は、棒状部材１と一体成形しても良い。ホルダー２には、２本のステー１１が一体成形にて設けられており、このステー１１には、軸受け孔１８が設けられ、軸１２が回転自在に挿入されている。回転軸１２の両側には、キノコ形状のローラー７が取り付けられており、このローラー７をキノコに例えた時、そのキノコの軸に相当する円筒部１７が長円形の貫通孔に沿って転動し、キノコの傘部分が抜け止めとなる。つまり本発明品を組み立てる時には、ステー１１に当接部材４を被せ、長円形の貫通孔９と、軸受け孔１８の位置を合わせた後、回転軸１２を挿入し、その両側に、円筒部１７を有するキノコ形状のローラー７を圧入して取り付ければ、当接部材４は長円形の貫通孔に沿って自在にスライドできる。また、回転軸１２は、軸受け孔１８との摩擦抵抗を受けるが、回転軸１２に回転を与える円筒部１７の直径が、回転軸１２の直径よりも十分に大きい為、力のモーメントにより、スムーズに回転する事が可能で、当接部材４の可動を妨げる事が無い。
【００１１】図２及び図４に記載された１５は、小さな圧縮スプリング１３を取り付ける為のスプリング受けであり、スプリングの端部を１５の平面上に当て、板状のフック１６を折り曲げてスプリング１３の端部の１巻〜２巻きを保持する事で、取り付けが完了する。
１４は、当接部材４の内側に設けられたスプリングホルダーであり、スプリング１３の一端を挿入する事で、スプリングが所定の位置から、ずれ動かない様に保持可能な深さを有する。
本発明品を組み立てる際、前述の通り、ステー１１に当接部材４を被せて回転軸１２を挿入するのであるが、その際、１５に取り付けたスプリング１３の他端を、１４に挿入して組み立てる。
以上の様に構成する事により、当接部材４は、角度θで傾斜した長円形の貫通孔９に沿って自在にスライド可能となるが、スプリング１３の付勢力によって、常に棒状部材１に対して最も高くなる位置、即ち、本発明品の全長が最も長くなる状態で保持される。
また、圧縮スプリング１３は、下端を固定され、上端は所定の深さを有するホルダー１４で保持されている為、曲げに対しても弾性力を発揮する事が可能あり、例えば図２の状態で、当接部材４が回転軸１２を中心に左右に回転させられたとしても、常に図２の状態に復帰する。
【００１２】前述の構成により、当接部材４に取り付けた当接シート５は、常に壁と平行に保持され、また、吊り下げ物が無い状態、即ち無負荷の状態でも、スプリング１３によって必要最低限の付勢力を壁に与える為、グラグラする事が無く、安定して洗濯物などを掛ける作業ができる。
また、本発明品を取り外す場合は、棒状部材１の片側を持ち上げれば、当接部材４がスプリング１３を圧縮し、円筒部１７を有するローラー７が、図１の最上部に移動するので、本発明品の全長が壁間距離よりも短くなり、簡単に取り外す事ができる。
本発明品を壁間に取り付ける場合は、上記と逆の方法で簡単に取り付けが可能で、また、当接部材４は、回転軸１２に対して回転が可能の為、着脱時に棒状部材１の片側だけを持ち上げて傾斜させても、当接シート５は、壁との平行状態を保ったまま上下可能な為、着脱作業を妨げる事は無い。
以上が、本発明品の請求項２に記載された内容の一例である。
【００１３】本発明の課題を解決し、所定の機能を発揮する為には、軸受けを設けたステー１１と、長円形の貫通孔９の位置関係を逆転させても良い。つまり、当接部材４に軸受け孔１８を設け、ステー１１側に長円形の貫通孔９を設ける構造である。この場合も、スプリング１３によって本発明品の全長は、常に最大になる様に保持され、当接部材４は所定の角度θでスライド可能な為、課題を確実に解決する事ができる。
以上が、本発明品の請求項３に記載された内容の一例である。
【００１４】本発明の課題を解決し、所定の機能を発揮する為には、スプリング１３は圧縮スプリングである必要は無く、引っ張りスプリングでも課題を解決する事ができる。この場合は、図２において、ホルダー２から上方にステーを伸ばし、引っ張りスプリングによって当接部材４を上方に引き上げる様に構成すれば良い。つまり、色々な構造が選択可能となった為、商品をデザインする際の自由度を上げる事が可能となった。
以上が、本発明品の請求項４に記載された内容の一例である。
【００１５】軸受け孔１８が真円であり、回転軸１２とのクリアランスが小さい場合、当接部材４は、取り付け時に上方から見た状態で、棒状部材１に対して左右に揺動する事ができない。従って、使用者が壁間に取り付ける際、上方から見て壁６と棒状部材１が完全に直角になっている必要が有る。
つまり使用者は、正確かつ確実に直角に合わせる必要が有り、利便性が極めて悪く、また、直角では無い状態で取り付けると、当接シート５の片側が浮き上がって壁６に密着できないばかりか、軸受け孔１８に、無理な曲げ応力が発生し、円筒部１７を有するローラー７も、スムーズに転動する事ができない。
そこで、この問題を解決する方法の一例として、軸受け孔１８を長円形とし、多少、取り付け時に本発明品が傾いても、所定の機能を発揮できる様に構成した。
以上が、本発明品の請求項５に記載された内容の一例である。
【００１６】本発明の課題を確実に解決し、商品性を確保する為には、円筒部１７を有するローラー７が、確実に回転する必要が有る。当接部材４が静止している状態でも、ローラー７は常に回転できる状態でなければ、吊り下げ物の重量を、壁５を押す力に変換できないからである。
この理論は、『斜面に横向きに置いた、重たいドラム缶』が、転がり落ちない様に、下側から支えている状態に例えれば、物理学の知識が無い人でも容易に理解できる。
斜面を転がり落ちようとしているドラム缶を静止させるには、下からドラム缶を押さえておかなければならない。この静止状態では、ドラム缶は全く回転していないが、常時、下から押しておく必要が有る。本発明品をこの状態に例えれば、ドラム缶の重量が洗濯物などの重量に相当し、斜面の角度が８の傾斜角度に相当し、ドラム缶を下側から支える力が、壁を押す力に相当する。
ここで、ドラム缶と斜面の間に接着剤を流し込むと、下から支える力を減らしても、ドラム缶が転がり落ちなくなり、接着剤が固まれば、押している手を離しても、ドラム缶は静止状態を続ける。
以上の『事実』を本発明品に当てはめると、回転自在に構成された部分が、抵抗無く回転できる状態になってれば、吊り下げ物の荷重を壁を押す力に変換できるが、回転軸１２が軸受け孔１８と固着したり、円筒部１７と長円形の貫通孔９とが固着すると、力の変換ができなくなり、壁間に保持する事ができず、商品として成立しなくなる。つまり、産業として利用できない。
そこで、この問題の解決策の一例として、軸受け１８部分で確実に回転させる為、長円形の貫通孔９の内側の転動面や、円筒部１７の表面を粗面とし、滑らずに確実に駆動力を与える構造とした。また、当接部材が棒状部材の軸心に対して回転すると、吊下げ物の重量を突っ張り力に変換できなくなる。その解決策として、当接部材４の側面に、取り付け方向を示す矢印１０を設けた。
また、さらに商品性を高める手段として、長円形の貫通孔９の上部に、僅かに幅の狭い部分を設け、ローラー１７が、最上部で軽く保持される様に装置すると共に、棒状部材と当接部材に取っ手、即ちグリップを設け、着脱時に全長が最短の状態で容易に保持できる様に装置した。
以上が、本発明品の請求項６に記載された内容の一例である。
【００１７】強力な圧縮スプリングを内蔵した『既存の突っ張り棒』では、スプリングの付勢力の強さにより、最大許容荷重が決まってしまう。即ち、強いスプリングを装置すれば、重たい物も吊下げ可能で、スプリングが弱ければ、軽い物を吊下げただけでも、簡単に落下してしまう。
それに対して本発明品では、吊下げ物の重量に応じて、壁への突っ張り力が変化する為、理論的には、どんな重たい物でも吊下げが可能となる。しかしそれでは、壁を押す力が無限に大きくなって、家の壁を破壊してしまう上、本体も、強度限界を超えた時点で破壊されてしまう。
従って、実用的な商品にする為には、破壊を防ぐ為の安全装置が不可欠である。
そこで本発明では、内筒１と外筒１９で棒状部材を構成し、伸縮をロックする装置２０を備える。
そして、ロック装置２０は、外筒１９に設けたネジで内筒１を締め上げ、摩擦力でロックする構造とし、ロック装置２０のネジには滑りクラッチを設け、一定以上の力でネジを回転させようとすると、空転し、それ以上の力でネジを締められない様に構成する。
洗濯物などを本発明品の棒状部材に吊下げると、当接部材４が壁６を押し、その反力によって棒状部材は縮められようとするが、伸縮ロック装置２０によって、内筒と外筒の伸縮がロックされているので、壁６からの反力に耐え、本発明品は落下せず、壁間に保持できる。しかし、所定の重量を超えて洗濯物などを吊下げると、ロック装置２０が摩擦による固定の限界を超え、棒状部材の外筒１９の中に内筒１が滑り込み、全長が短くなり、壁を押す力が０になって落下する。
以上の様に、本発明によれば、家の壁や本体を破壊する事が無く、極めて安全である。尚、伸縮部は、ロック装置２０の摩擦力を受けながら縮む為、ゆっくりと全長が短くなる。つまり、一気に落下する事は無く、ゆっくりズルズルと、壁の間を滑る様に落下するので、危険は無い。
また、本発明品は室内での使用に特化している為、本発明品の落下と同時に、吊下げられた洗濯物などが落下しても、下は地面では無く、室内の床なので、洗濯物が汚れる心配は無い。
以上が、本発明品の請求項７に記載された内容の一例である。
【符号の説明】
【００１８】１、内筒と外筒で構成され、左右からの圧縮圧力を受ける棒状部材の、内筒部分
２、棒状部材に当接部材を取り付ける為の、ホルダー
３、本発明品の、左右方向の中央を示す中心線
４、壁などに当てる、当接部材
５、ゴムなどの高摩擦係数材料で作られた、当接シート
６、主として室内の、壁（または、柱）
７、キノコ形状のローラー（転動する車輪）の、傘部
８、当接部材の可動方向と、壁との間の、角度θ
９、角度θで傾斜した、長円形の貫通孔
１０、当接部材の可動方向（取り付け方向）を示す、矢印マーク
１１、軸を回転自在に保持する為に、ホルダーに設けられた、ステー
１２、キノコ形状のローラーの、回転軸（棒，ピン，またはパイプ）
１３、圧縮スプリング（コイルスプリング）
１４、円筒形で、所定の深さを有する、スプリングホルダー
１５、略平面の、スプリング受け
１６、スプリングを固定する為の、フック
１７、キノコ状のローラー（転動する車輪）の、軸部
１８、軸受け孔
１９、内筒と外筒で構成された棒状部材の、外筒部分
２０、壁間距離に合わせて全幅寸法を調整後、内外筒の伸縮を防止するロック装置（ネジ）
【図１】
0005608926.tif 000002
【図２】
0005608926.tif 000003
【図３】
0005608926.tif 000004
【図４】
0005608926.tif 000005